(57)【要約】  無線基地局装置１は、ＵＳＩＭカード２、ＵＳＩＭカード２が挿入されるカード挿入部３、カード挿入部３を覆うと共にスライド移動可能なカバー４、ならびに電源オン／オフを行うアダプタ接続部５および電源アダプタ６を備える。アダプタ接続部５に電源アダプタ６が接続された電源オン時、電源アダプタ６がカバー４のスライド移動を規制することによりカード挿入部３が露出できず、ＵＳＩＭカード２は抜き差しできない。一方、電源アダプタ６が取り外された電源オフ時、カバー４をスライド移動してカード挿入部３を露出させ、ＵＳＩＭカード２を抜き差しできる。
2010061423.tif 000002
【特許請求の範囲】
【請求項１】
加入者識別情報が記憶されたデータカードと、前記データカードが挿入されるカード挿入部とを有し、前記データカードから読み出した加入者識別情報を用いて無線通信を行う無線基地局装置であって、
スライド移動可能に取り付けられ、前記カード挿入部を覆うカバーと、
前記カバーのスライド移動方向上に設けられ、表面から突出した位置にあるときは前記無線基地局装置に電源を供給し、表面から突出しない位置にあるときは電源供給を停止する電源切り替え部とを備え、
電源オン状態では、表面から突出した位置にある前記電源切り替え部が前記カバーのスライド移動を規制することにより、前記データカードの抜き差しを不可能とすることを特徴とする無線基地局装置。
【請求項２】
電源切り替え部は、カバーのスライド移動方向上に設けられたアダプタ接続部と、前記アダプタ接続部と接続して電源を供給する電源アダプタとから構成されることを特徴とする請求項１記載の無線基地局装置。
【請求項３】
電源切り替え部は、カバーのスライド移動方向上に設けられ、表面から突出した位置にあるときは無線基地局装置に電源を供給し、表面から突出しない位置にあるときは電源供給を停止する押しボタンスイッチであることを特徴とする請求項１記載の無線基地局装置。
【請求項４】
電源切り替え部は、一端部が上がると連動して他端部が下がるロッカスイッチであって、カバーのスライド移動方向上に前記一端部が位置するように設けられ、当該ロッカスイッチの一端部が表面から突出した位置に上がると無線基地局装置に電源を供給し、当該ロッカスイッチの一端部が表面から突出しない位置に下がると電源供給を停止することを特徴とする請求項１記載の無線基地局装置。
【請求項５】
加入者識別情報が記憶されたデータカードと、前記データカードが挿入されるカード挿入部とを有し、前記データカードから読み出した加入者識別情報を用いて無線通信を行う無線基地局装置であって、
前記カード挿入部を覆う位置にあるときは前記無線基地局装置に電源を供給し、前記カード挿入部が露出する位置にスライド移動したときは電源供給を停止するスライドスイッチを備えたことを特徴とする無線基地局装置。
【請求項６】
加入者識別情報が記憶されたデータカードと、前記データカードが挿入されるカード挿入部とを有し、前記データカードから読み出した加入者識別情報を用いて無線通信を行う無線基地局装置であって、
前記カード挿入部の開口面に対向する底面に設けられ、当該底面下に収容される位置にあるときは前記無線基地局装置に電源を供給し、当該底面から突出した位置にあるときは電源供給を停止する電源スイッチを備え、
前記カード挿入部に挿入された前記データカードが前記底面の前記電源スイッチを押すことにより前記無線基地局装置に電源が供給され、前記データカードが抜かれると前記電源スイッチが前記底面から突出した位置にきて電源供給を停止することを特徴とする無線基地局装置。
【発明の詳細な説明】
【技術分野】
【０００１】
この発明は、ＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ：汎用加入者識別モジュール）カードを搭載する無線基地局装置に関するものである。
【背景技術】
【０００２】
従来、ＵＳＩＭカードは携帯電話端末に搭載されていた。このＵＳＩＭカードは、複数の携帯電話端末に同一の加入者情報が登録されることを防ぐために、携帯電話端末の電源を切った状態で抜き差しする必要があった。
特許文献１には、携帯電話端末のＵＳＩＭカード装着機構が提案されている。この携帯電話端末には、キーが配される面とは反対側の背面にバッテリパックを取り付けるための凹状のバッテリパック装着部が設けられ、このバッテリパック装着部に隣接する垂直壁にカード挿入開口が設けられている。ＵＳＩＭカードは、カード挿入開口から垂直壁に垂直な方向にスライド挿入されて装着される。バッテリパック装着部にバッテリパックを装着するとカード挿入開口がバッテリパックによって隠れる構造となっているため、装着されているバッテリパックを取り外さなければ、装着されているＵＳＩＭカードが取り出せない構成としていた。【０００３】
【特許文献１】特開２００６−６７６２８号公報
【０００４】
従来のＵＳＩＭカード搭載機構は以上のように構成されているので、ＵＳＩＭカードを携帯電話端末に搭載して容易に取り外しできないようになってはいるが、ＵＳＩＭカードを無線基地局装置に搭載する機構については特に記載されていなかった。【０００５】
従来、無線基地局装置にＵＳＩＭカードは搭載されていないが、無線基地局装置にＵＳＩＭカードを搭載した場合には、無線基地局装置に電源が入った状態のままＵＳＩＭカードを取り外すと、ＵＳＩＭカードが取り外された無線基地局装置は引き続きその加入者情報のまま動作してしまう。この状態で、取り外したＵＳＩＭカードを別の無線基地局装置に搭載すると、同一の加入者情報で動作する無線基地局装置が複数存在するという不正状態が起こるという課題があった。
他方、電源が入った状態のままＵＳＩＭカードを抜き差ししても不正状態にならないようにするためには、常時ＵＳＩＭカードを監視する必要がある。しかしながら、常時ＵＳＩＭカードを監視する場合、ソフトウエアの処理量の増加、消費電力の増加等の問題があった。【０００６】
この発明は上記した課題を解決するためになされたものであり、ソフトウエアの処理量および消費電力を増加させることなく不正状態を防ぐために、無線基地局装置の電源を切った状態でしかＵＳＩＭカードを抜き差しできない構造を実現することを目的とする。
【発明の開示】
【０００７】
この発明の無線基地局装置は、加入者識別情報が記憶されたデータカードと、データカードが挿入されるカード挿入部と、スライド移動可能に取り付けられ、カード挿入部を覆うカバーと、カバーのスライド移動方向上に設けられ、表面から突出した位置にあるときは無線基地局装置に電源を供給し、表面から突出しない位置にあるときは電源供給を停止する電源切り替え部とを備え、電源オン状態では、表面から突出した位置にある電源切り替え部がカバーのスライド移動を規制することにより、データカードの抜き差しを不可能とするものである。
【０００８】
この発明によれば、電源切り替え部が電源オン状態のカバーのスライド移動を規制するようにしたことにより、無線基地局装置が電源オフ状態の場合のみＵＳＩＭカードを抜き差し可能とする構造を実現することができる。
【０００９】
この発明の無線基地局装置は、加入者識別情報が記憶されたデータカードと、データカードが挿入されるカード挿入部と、カード挿入部を覆う位置にあるときは無線基地局装置に電源を供給し、カード挿入部が露出する位置にスライド移動したときは電源供給を停止するスライドスイッチとを備えたものである。
【００１０】
この発明によれば、カード挿入部が露出する位置にあるときは電源供給を停止するスライドスイッチを備えたことにより、無線基地局装置が電源オフ状態の場合のみＵＳＩＭカードを抜き差し可能とする構造を実現することができる。
【００１１】
この発明の無線基地局装置は、加入者識別情報が記憶されたデータカードと、データカードが挿入されるカード挿入部と、カード挿入部の開口面に対向する底面に設けられ、当該底面下に収容される位置にあるときは無線基地局装置に電源を供給し、当該底面から突出した位置にあるときは電源供給を停止する電源スイッチを備え、カード挿入部に挿入されたデータカードが底面の電源スイッチを押すことにより無線基地局装置に電源が供給され、データカードが抜かれると電源スイッチが底面から突出した位置にきて電源供給を停止するものである。
【００１２】
この発明によれば、データカードが抜かれると電源スイッチが底面から突出した位置にきて電源供給を停止するようにしたことにより、無線基地局装置が電源オフ状態の場合のみＵＳＩＭカードを抜き差し可能とする構造を実現することができる。
【図面の簡単な説明】
【００１３】
【図１】この発明の実施の形態１に係る無線基地局装置の構成を示す斜視図であり、電源オン状態を示す。
【図２】この発明の実施の形態１に係る無線基地局装置の構成を示す斜視図であり、電源オフ状態を示す。
【図３】この発明の実施の形態２に係る無線基地局装置の構成を示す斜視図であり、電源オン状態を示す。
【図４】この発明の実施の形態２に係る無線基地局装置の構成を示す斜視図であり、電源オフ状態を示す。
【図５】この発明の実施の形態３に係る無線基地局装置の構成を示す斜視図であり、電源オン状態を示す。
【図６】この発明の実施の形態３に係る無線基地局装置の構成を示す斜視図であり、電源オフ状態を示す。
【図７】この発明の実施の形態４に係る無線基地局装置の構成を示す斜視図であり、電源オン状態を示す。
【図８】この発明の実施の形態４に係る無線基地局装置の構成を示す斜視図であり、電源オフ状態を示す。
【図９】この発明の実施の形態５に係る無線基地局装置の構成を示す斜視図であり、電源オン状態を示す。
【図１０】この発明の実施の形態５に係る無線基地局装置の構成を示す斜視図であり、電源オフ状態を示す。
【発明を実施するための最良の形態】
【００１４】
以下、この発明をより詳細に説明するために、この発明を実施するための最良の形態について、添付の図面に従って説明する。
実施の形態１．
図１および図２はこの発明の実施の形態１に係る無線基地局装置１の構成を示す斜視図であり、図１は電源オン状態を示し、図２は電源オフ状態を示す。無線基地局装置１は、ＵＳＩＭカード２が挿入されて無線基地局装置１に加入者情報を供給するためのインタフェースとなるカード挿入部３、カード挿入部３を覆うスライド式のカバー４、無線基地局装置１の電源オン／オフを行うためのインタフェースとなるアダプタ接続部５、アダプタ接続部５に接続して電源を供給する電源アダプタ６を備える。なお、アダプタ接続部５および電源アダプタ６から電源切り替え部が構成される。【００１５】
ＵＳＩＭカード２には、無線基地局装置１が通信を行う際に必要となる加入者情報が記録されている。ＵＳＩＭカード２を無線基地局装置１のカード挿入部３に挿入すると、無線基地局装置１はＵＳＩＭカード２に記録された加入者情報を取得して登録する。
カード挿入部３はアダプタ接続部５に隣接して設けられ、カード挿入部３の開口部はカバー４により覆われる。このカバー４は、アダプタ接続部５の方向にのみスライドさせることができる構造とする。アダプタ接続部５に電源アダプタ６が接続されている場合、電源アダプタ６がカバー４のスライド移動を規制する。そのため、カバー４は、アダプタ接続部５に電源アダプタ６が接続されている場合にはカード挿入部３からアダプタ接続部５の方向へ移動できない。よって、ＵＳＩＭカード２を抜き差しするためには、電源アダプタ６をアダプタ接続部５から脱抜するという無線基地局装置１の電源オフ動作が必要となる。【００１６】
図１において、無線基地局装置１のアダプタ接続部５に電源アダプタ６が接続されると、無線基地局装置１に電源が供給されて電源オン状態となる。電源オン時は、電源アダプタ６がカバー４のスライド移動を規制しているため、カード挿入部３を露出させることができない。このため、電源オン時はＵＳＩＭカード２を取り出すことができない。【００１７】
図２において、無線基地局装置１のアダプタ接続部５から電源アダプタ６が脱抜されると、無線基地局装置１に電源が供給されず、電源オフ状態となる。電源オフ時は、カバー４をアダプタ接続部５の上へスライド移動させることにより、カード挿入部３を露出させることができる。このため、電源オフ時はＵＳＩＭカード２を抜き差しすることができる。【００１８】
上記した実施の形態１によれば、電源オン状態では、表面から突出した位置にある電源アダプタ６がカバー４のスライド移動を規制することにより、カード挿入部３がカバー４で覆われてＵＳＩＭカード２の抜き差しを不可能とし、電源オフ状態では、電源アダプタ６が取り外されてカバー４がスライド移動可能となり、カード挿入部３を露出させることによりＵＳＩＭカード２の抜き差しを可能とするように構成した。
そのため、無線基地局装置１の電源を切った状態でしたＵＳＩＭカード２を抜き差しできない構造とすることができる。この結果、複数の無線基地局装置に同一の加入者識別情報が登録されるという不正状態を防止することが可能となる。また、ソフトウエア処理によりＵＳＩＭカードを常時監視する必要がないため、ソフトウエアの処理量および消費電力の軽減が可能となる。【００１９】
実施の形態２．
図３および図４は、この発明の実施の形態２に係る無線基地局装置１の構成を示す斜視図であり、図３は電源オン状態を示し、図４は電源オフ状態を示す。図３および図４において図１および図２と同一または相当の部分については同一の符号を付し説明を省略する。本実施の形態の無線基地局装置１は、電源オン／オフを行うためのインタフェースとなる押しボタンスイッチ（電源切り替え部）７を備える。この押しボタンスイッチ７は、不図示の電源アダプタ等から無線基地局装置１への電源供給を制御する構成であって、無線基地局装置１の表面から突出する位置にあるとき、即ち凸状態のとき、無線基地局装置１に電源を供給するものとする。また、押しボタンスイッチ７は、無線基地局装置１の表面から突出しない位置にあるとき、無線基地局装置１への電源供給を停止する。【００２０】
カード挿入部３は押しボタンスイッチ７に隣接して設けられ、カバー４は押しボタンスイッチ７の方向にのみスライドさせることができる構造とする。押しボタンスイッチ７は電源オン時に無線基地局装置１の表面から突出して、カバー４のスライド移動を規制する。そのため、カバー４は、押しボタンスイッチ７が凸状態の場合にはカード挿入部３から押しボタンスイッチ７の方向へ移動できない。よって、ＵＳＩＭカード２を抜き差しするためには、押しボタンスイッチ７を押すという無線基地局装置１の電源オフ動作が必要となる。【００２１】
図３において、無線基地局装置１の押しボタンスイッチ７が凸状態にされると、無線基地局装置１に電源が供給されて電源オン状態となる。電源オン時は、押しボタンスイッチ７がカバー４のスライド移動を規制しているため、カード挿入部３を露出させることができず、ＵＳＩＭカード２を取り出すことはできない。【００２２】
図４において、無線基地局装置１の押しボタンスイッチ７が押されて無線基地局装置１の表面から突出しない位置にくると、無線基地局装置１に電源が供給されず、電源オフ状態となる。電源オフ時は、カバー４を押しボタンスイッチ７の上へスライド移動させることにより、カード挿入部３を露出させてＵＳＩＭカード２を抜き差しすることができる。【００２３】
上記した実施の形態２によれば、電源オン状態では、表面から突出した位置にある押しボタンスイッチ７がカバー４のスライド移動を規制することにより、カード挿入部３がカバー４で覆われてＵＳＩＭカード２の抜き差しを不可能とし、電源オフ状態では、押しボタンスイッチ７が押されてカバー４がスライド移動可能となり、カード挿入部３を露出させることによりＵＳＩＭカード２の抜き差しを可能とするように構成した。
そのため、無線基地局装置１の電源を切った状態でしたＵＳＩＭカード２を抜き差しできない構造とすることができる。この結果、複数の無線基地局装置に同一の加入者識別情報が登録されるという不正状態を防止することが可能となる。また、ソフトウエア処理によりＵＳＩＭカードを常時監視する必要がないため、ソフトウエアの処理量および消費電力の軽減が可能となる。【００２４】
実施の形態３．
図５および図６は、この発明の実施の形態３に係る無線基地局装置１の構成を示す斜視図であり、図５は電源オン状態を示し、図６は電源オフ状態を示す。図５および図６において図１および図２と同一または相当の部分については同一の符号を付し説明を省略する。本実施の形態の無線基地局装置１は、電源オン／オフを行うためのインタフェースとなるロッカスイッチ（電源切り替え部）８を備える。ロッカスイッチ８は、一端が上がると連動して他端が下がる構造であり、第一端部８ａが上がり第二端部８ｂが下がると無線基地局装置１に電源を供給し、第一端部８ａが下がり第二端部８ｂが上がると電源供給を停止する。【００２５】
カード挿入部３はロッカスイッチ８に隣接して設けられ、カバー４はロッカスイッチ８の第一端部８ａの方向にのみスライドさせることができる構造とする。ロッカスイッチ８の第一端部８ａは電源オン時に無線基地局装置１の表面から突出して、カバー４のスライド移動を規制する。そのため、カバー４は、ロッカスイッチ８の第一端部８ａが上がっている状態の場合にはカード挿入部３からロッカスイッチ８の方向へ移動できない。よって、ＵＳＩＭカード２を抜き差しするためには、第一端部８ａを押すという無線基地局装置１の電源オフ動作が必要となる。【００２６】
なお、図５および図６ではロッカスイッチ８の長手方向を、カバー４のスライド方向に対して直角、かつスライド方向上に第一端部８ａがくるように取り付ける例を示したが、これに限定されるものではなく、例えばロッカスイッチ８の長手方向をスライド方向上に当該スライド方向と水平になるよう取り付けてもよい。【００２７】
図５において、ロッカスイッチ８の第二端部８ｂが押されて下がり、それに連動して第一端部８ａが無線基地局装置１の表面から突出した状態にされると、無線基地局装置１に電源が供給されて電源オン状態となる。電源オン時は、ロッカスイッチ８の第一端部８ａがカバー４のスライド移動を規制しているため、カード挿入部３を露出させることができず、ＵＳＩＭカード２を取り出すことはできない。【００２８】
図６において、ロッカスイッチ８の第一端部８ａが押されて無線基地局装置１の表面から突出しない位置にくると、無線基地局装置１に電源が供給されず、電源オフ状態となる。電源オフ時は、カバー４をロッカスイッチ８の第一端部８ａ上にスライド移動させることにより、カード挿入部３を露出させてＵＳＩＭカード２を抜き差しすることができる。【００２９】
上記した実施の形態３によれば、電源オン状態では、表面から突出した位置に上がったロッカスイッチ８の第一端部８ａがカバー４のスライド移動を規制することにより、カード挿入部３がカバー４で覆われてＵＳＩＭカード２の抜き差しを不可能とし、電源オフ状態では、ロッカスイッチ８の第一端部８ａが表面から突出しない位置に下がってカバー４がスライド移動可能となり、カード挿入部３を露出させることによりＵＳＩＭカード２の抜き差しを可能とするように構成した。
そのため、無線基地局装置１の電源を切った状態でしたＵＳＩＭカード２を抜き差しできない構造とすることができる。この結果、複数の無線基地局装置に同一の加入者識別情報が登録されるという不正状態を防止することが可能となる。また、ソフトウエア処理によりＵＳＩＭカードを常時監視する必要がないため、ソフトウエアの処理量および消費電力の軽減が可能となる。【００３０】
実施の形態４．
図７および図８は、この発明の実施の形態４に係る無線基地局装置１の構成を示す斜視図であり、図７は電源オン状態を示し、図８は電源オフ状態を示す。図７および図８において図１および図２と同一または相当の部分については同一の符号を付し説明を省略する。本実施の形態の無線基地局装置１は、電源オン／オフを行うためのインタフェースとなるスライドスイッチ９を備える。このスライドスイッチ９はカード挿入部３を覆うカバーとして兼用され、カード挿入部３を覆う位置にあるとき無線基地局装置１へ電源を供給するものとする。また、スライドスイッチ９は、スライド移動してカード挿入部３を露出させる位置にあるとき、無線基地局装置１への電源供給を停止する。【００３１】
図７において、無線基地局装置１のスライドスイッチ９がカード挿入部３を覆う位置に移動されると、無線基地局装置１に電源が供給されて電源オン状態となる。電源オン時は、スライドスイッチ９がカード挿入部３を覆っているため、カード挿入部３が露出せず、ＵＳＩＭカード２を取り出すことはできない。よって、ＵＳＩＭカード２を抜き差しするためにスライドスイッチ９をスライド移動させると、自動的に電源オフ状態となる。【００３２】
図８において、無線基地局装置１のスライドスイッチ９がスライド移動されてカード挿入部３が露出する位置にくると、無線基地局装置１に電源が供給されず、電源オフ状態となる。電源オフ時は、カード挿入部３が露出しているのでＵＳＩＭカード２を抜き差しすることができる。【００３３】
上記した実施の形態４によれば、スライドスイッチ９はカード挿入部３を覆う位置にあるときは無線基地局装置１に電源を供給し、スライド移動してカード挿入部３を露出させる位置にあるときは電源供給を停止するように構成した。
そのため、無線基地局装置１の電源を切った状態でしたＵＳＩＭカード２を抜き差しできない構造とすることができる。この結果、複数の無線基地局装置に同一の加入者識別情報が登録されるという不正状態を防止することが可能となる。また、ソフトウエア処理によりＵＳＩＭカードを常時監視する必要がないため、ソフトウエアの処理量および消費電力の軽減が可能となる。【００３４】
実施の形態５．
図９および図１０は、この発明の実施の形態５に係る無線基地局装置１の構成を示す斜視図であり、図９は電源オン状態を示し、図１０は電源オフ状態を示す。図９および図１０において図１および図２と同一または相当の部分については同一の符号を付し説明を省略する。本実施の形態の無線基地局装置１は、電源オン／オフを行うためのインタフェースとなる電源スイッチ１０を備える。この電源スイッチ１０は、カード挿入部３の底部に設置され、底部に収容されて底部表面から突出しない位置にあるとき、無線基地局装置１へ電源を供給するものとする。また、電源スイッチ１０は、カード挿入部３の底部表面から突出する位置にあるとき、即ち凸状態のとき、無線基地局装置１への電源供給を停止する。【００３５】
図９において、無線基地局装置１のカード挿入部３にＵＳＩＭカード２が挿入されると、ＵＳＩＭカード２がカード挿入部３底部に設けられた電源スイッチ１０を押して底部に収容させるので、無線基地局装置１は電源オン状態となる。ＵＳＩＭカード２がカード挿入部３に挿入されている間は、ＵＳＩＭカード２が電源スイッチ１０をカード挿入部３底部表面から突出しない位置に保持するため、電源オン状態が継続する。【００３６】
図１０において、無線基地局装置１のカード挿入部３からＵＳＩＭカード２が抜かれると、ＵＳＩＭカード２による電源スイッチ１０の保持が解除されるので、電源スイッチ１０が凸状態となり、無線基地局装置１は電源オフ状態となる。よって、ＵＳＩＭカード２がカード挿入部３から抜き出されれば、電源スイッチ１０が凸状態となるため、自動的に電源オフ状態となる。【００３７】
上記した実施の形態５によれば、カード挿入部３に挿入されたＵＳＩＭカード２が、カード挿入部３底部に設けられた電源スイッチ１０を押すことにより無線基地局装置１に電源が供給され、ＵＳＩＭカード２がカード挿入部３から抜かれると電源スイッチ１０が電源供給停止位置に戻り凸状態となるように構成した。
そのため、無線基地局装置１の電源を切った状態でしたＵＳＩＭカード２を抜き差しできない構造とすることができる。この結果、複数の無線基地局装置に同一の加入者識別情報が登録されるという不正状態を防止することが可能となる。また、ソフトウエア処理によりＵＳＩＭカードを常時監視する必要がないため、ソフトウエアの処理量および消費電力の軽減が可能となる。
【産業上の利用可能性】
【００３８】
以上のように、この発明に係る無線基地局装置は、電源切り替え部が電源オン状態のカバーのスライド移動を規制して、電源オフ状態時のみＵＳＩＭカードを抜き差し可能にしたので、移動体通信方式においてＵＳＩＭカードを搭載する無線通信基地局装置等に用いるのに適している。
【図１】
2010061423.tif 000003
【図２】
2010061423.tif 000004
【図３】
2010061423.tif 000005
【図４】
2010061423.tif 000006
【図５】
2010061423.tif 000007
【図６】
2010061423.tif 000008
【図７】
2010061423.tif 000009
【図８】
2010061423.tif 000010
【図９】
2010061423.tif 000011
【図１０】
2010061423.tif 000012
【手続補正書】
【提出日】平成22年10月5日(2010.10.5)
【手続補正１】
【補正対象書類名】明細書
【補正対象項目名】全文
【補正方法】変更
【補正の内容】
【発明の詳細な説明】
【技術分野】
【０００１】
この発明は、ＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ：汎用加入者識別モジュール）カードを搭載する無線基地局装置に関するものである。
【背景技術】
【０００２】
従来、ＵＳＩＭカードは携帯電話端末に搭載されていた。このＵＳＩＭカードは、複数の携帯電話端末に同一の加入者情報が登録されることを防ぐために、携帯電話端末の電源を切った状態で抜き差しする必要があった。
特許文献１には、携帯電話端末のＵＳＩＭカード装着機構が提案されている。この携帯電話端末には、キーが配される面とは反対側の背面にバッテリパックを取り付けるための凹状のバッテリパック装着部が設けられ、このバッテリパック装着部に隣接する垂直壁にカード挿入開口が設けられている。ＵＳＩＭカードは、カード挿入開口から垂直壁に垂直な方向にスライド挿入されて装着される。バッテリパック装着部にバッテリパックを装着するとカード挿入開口がバッテリパックによって隠れる構造となっているため、装着されているバッテリパックを取り外さなければ、装着されているＵＳＩＭカードが取り出せない構成としていた。
【先行技術文献】
【特許文献】
【０００３】
【特許文献１】特開２００６−６７６２８号公報
【発明の概要】
【発明が解決しようとする課題】
【０００４】
従来のＵＳＩＭカード搭載機構は以上のように構成されているので、ＵＳＩＭカードを携帯電話端末に搭載して容易に取り外しできないようになってはいるが、ＵＳＩＭカードを無線基地局装置に搭載する機構については特に記載されていなかった。
【０００５】
従来、無線基地局装置にＵＳＩＭカードは搭載されていないが、無線基地局装置にＵＳＩＭカードを搭載した場合には、無線基地局装置に電源が入った状態のままＵＳＩＭカードを取り外すと、ＵＳＩＭカードが取り外された無線基地局装置は引き続きその加入者情報のまま動作してしまう。この状態で、取り外したＵＳＩＭカードを別の無線基地局装置に搭載すると、同一の加入者情報で動作する無線基地局装置が複数存在するという不正状態が起こるという課題があった。
他方、電源が入った状態のままＵＳＩＭカードを抜き差ししても不正状態にならないようにするためには、常時ＵＳＩＭカードを監視する必要がある。しかしながら、常時ＵＳＩＭカードを監視する場合、ソフトウエアの処理量の増加、消費電力の増加等の問題があった。
【０００６】
この発明は上記した課題を解決するためになされたものであり、ソフトウエアの処理量および消費電力を増加させることなく不正状態を防ぐために、無線基地局装置の電源を切った状態でしかＵＳＩＭカードを抜き差しできない構造を実現することを目的とする。
【課題を解決するための手段】
【０００７】
この発明の無線基地局装置は、加入者識別情報が記憶されたデータカードと、データカードが挿入されるカード挿入部と、スライド移動可能に取り付けられ、カード挿入部を覆うカバーと、カバーのスライド移動方向上に設けられ、表面から突出した位置にあるときは無線基地局装置に電源を供給し、表面から突出しない位置にあるときは電源供給を停止する電源切り替え部とを備え、電源オン状態では、表面から突出した位置にある電源切り替え部がカバーのスライド移動を規制することにより、データカードの抜き差しを不可能とし、電源切り替え部は、カバーのスライド移動方向上に設けられたアダプタ接続部と、アダプタ接続部と接続して電源を供給する電源アダプタとから構成されるものである。
【発明の効果】
【０００８】
この発明によれば、電源切り替え部が電源オン状態のカバーのスライド移動を規制するようにしたことにより、無線基地局装置が電源オフ状態の場合のみＵＳＩＭカードを抜き差し可能とする構造を実現することができる。
【０００９】
この発明の無線基地局装置は、加入者識別情報が記憶されたデータカードと、データカードが挿入されるカード挿入部と、カード挿入部を覆う位置にあるときは無線基地局装置に電源を供給し、カード挿入部が露出する位置にスライド移動したときは電源供給を停止するスライドスイッチとを備えたものである。
【００１０】
この発明によれば、カード挿入部が露出する位置にあるときは電源供給を停止するスライドスイッチを備えたことにより、無線基地局装置が電源オフ状態の場合のみＵＳＩＭカードを抜き差し可能とする構造を実現することができる。
【００１１】
この発明の無線基地局装置は、加入者識別情報が記憶されたデータカードと、データカードが挿入されるカード挿入部と、カード挿入部の開口面に対向する底面に設けられ、当該底面下に収容される位置にあるときは無線基地局装置に電源を供給し、当該底面から突出した位置にあるときは電源供給を停止する電源スイッチを備え、カード挿入部に挿入されたデータカードが底面の電源スイッチを押すことにより無線基地局装置に電源が供給され、データカードが抜かれると電源スイッチが底面から突出した位置にきて電源供給を停止するものである。
【００１２】
この発明によれば、データカードが抜かれると電源スイッチが底面から突出した位置にきて電源供給を停止するようにしたことにより、無線基地局装置が電源オフ状態の場合のみＵＳＩＭカードを抜き差し可能とする構造を実現することができる。
【図面の簡単な説明】
【００１３】
【図１】この発明の実施の形態１に係る無線基地局装置の構成を示す斜視図であり、電源オン状態を示す。
【図２】この発明の実施の形態１に係る無線基地局装置の構成を示す斜視図であり、電源オフ状態を示す。
【図３】この発明の実施の形態２に係る無線基地局装置の構成を示す斜視図であり、電源オン状態を示す。
【図４】この発明の実施の形態２に係る無線基地局装置の構成を示す斜視図であり、電源オフ状態を示す。
【図５】この発明の実施の形態３に係る無線基地局装置の構成を示す斜視図であり、電源オン状態を示す。
【図６】この発明の実施の形態３に係る無線基地局装置の構成を示す斜視図であり、電源オフ状態を示す。
【図７】この発明の実施の形態４に係る無線基地局装置の構成を示す斜視図であり、電源オン状態を示す。
【図８】この発明の実施の形態４に係る無線基地局装置の構成を示す斜視図であり、電源オフ状態を示す。
【図９】この発明の実施の形態５に係る無線基地局装置の構成を示す斜視図であり、電源オン状態を示す。
【図１０】この発明の実施の形態５に係る無線基地局装置の構成を示す斜視図であり、電源オフ状態を示す。
【発明を実施するための形態】
【００１４】
以下、この発明をより詳細に説明するために、この発明を実施するための形態について、添付の図面に従って説明する。
実施の形態１．
図１および図２はこの発明の実施の形態１に係る無線基地局装置１の構成を示す斜視図であり、図１は電源オン状態を示し、図２は電源オフ状態を示す。無線基地局装置１は、ＵＳＩＭカード２が挿入されて無線基地局装置１に加入者情報を供給するためのインタフェースとなるカード挿入部３、カード挿入部３を覆うスライド式のカバー４、無線基地局装置１の電源オン／オフを行うためのインタフェースとなるアダプタ接続部５、アダプタ接続部５に接続して電源を供給する電源アダプタ６を備える。なお、アダプタ接続部５および電源アダプタ６から電源切り替え部が構成される。
【００１５】
ＵＳＩＭカード２には、無線基地局装置１が通信を行う際に必要となる加入者情報が記録されている。ＵＳＩＭカード２を無線基地局装置１のカード挿入部３に挿入すると、無線基地局装置１はＵＳＩＭカード２に記録された加入者情報を取得して登録する。
カード挿入部３はアダプタ接続部５に隣接して設けられ、カード挿入部３の開口部はカバー４により覆われる。このカバー４は、アダプタ接続部５の方向にのみスライドさせることができる構造とする。アダプタ接続部５に電源アダプタ６が接続されている場合、電源アダプタ６がカバー４のスライド移動を規制する。そのため、カバー４は、アダプタ接続部５に電源アダプタ６が接続されている場合にはカード挿入部３からアダプタ接続部５の方向へ移動できない。よって、ＵＳＩＭカード２を抜き差しするためには、電源アダプタ６をアダプタ接続部５から脱抜するという無線基地局装置１の電源オフ動作が必要となる。
【００１６】
図１において、無線基地局装置１のアダプタ接続部５に電源アダプタ６が接続されると、無線基地局装置１に電源が供給されて電源オン状態となる。電源オン時は、電源アダプタ６がカバー４のスライド移動を規制しているため、カード挿入部３を露出させることができない。このため、電源オン時はＵＳＩＭカード２を取り出すことができない。
【００１７】
図２において、無線基地局装置１のアダプタ接続部５から電源アダプタ６が脱抜されると、無線基地局装置１に電源が供給されず、電源オフ状態となる。電源オフ時は、カバー４をアダプタ接続部５の上へスライド移動させることにより、カード挿入部３を露出させることができる。このため、電源オフ時はＵＳＩＭカード２を抜き差しすることができる。
【００１８】
上記した実施の形態１によれば、電源オン状態では、表面から突出した位置にある電源アダプタ６がカバー４のスライド移動を規制することにより、カード挿入部３がカバー４で覆われてＵＳＩＭカード２の抜き差しを不可能とし、電源オフ状態では、電源アダプタ６が取り外されてカバー４がスライド移動可能となり、カード挿入部３を露出させることによりＵＳＩＭカード２の抜き差しを可能とするように構成した。
そのため、無線基地局装置１の電源を切った状態でしたＵＳＩＭカード２を抜き差しできない構造とすることができる。この結果、複数の無線基地局装置に同一の加入者識別情報が登録されるという不正状態を防止することが可能となる。また、ソフトウエア処理によりＵＳＩＭカードを常時監視する必要がないため、ソフトウエアの処理量および消費電力の軽減が可能となる。
【００１９】
実施の形態２．
図３および図４は、この発明の実施の形態２に係る無線基地局装置１の構成を示す斜視図であり、図３は電源オン状態を示し、図４は電源オフ状態を示す。図３および図４において図１および図２と同一または相当の部分については同一の符号を付し説明を省略する。本実施の形態の無線基地局装置１は、電源オン／オフを行うためのインタフェースとなる押しボタンスイッチ（電源切り替え部）７を備える。この押しボタンスイッチ７は、不図示の電源アダプタ等から無線基地局装置１への電源供給を制御する構成であって、無線基地局装置１の表面から突出する位置にあるとき、即ち凸状態のとき、無線基地局装置１に電源を供給するものとする。また、押しボタンスイッチ７は、無線基地局装置１の表面から突出しない位置にあるとき、無線基地局装置１への電源供給を停止する。
【００２０】
カード挿入部３は押しボタンスイッチ７に隣接して設けられ、カバー４は押しボタンスイッチ７の方向にのみスライドさせることができる構造とする。押しボタンスイッチ７は電源オン時に無線基地局装置１の表面から突出して、カバー４のスライド移動を規制する。そのため、カバー４は、押しボタンスイッチ７が凸状態の場合にはカード挿入部３から押しボタンスイッチ７の方向へ移動できない。よって、ＵＳＩＭカード２を抜き差しするためには、押しボタンスイッチ７を押すという無線基地局装置１の電源オフ動作が必要となる。
【００２１】
図３において、無線基地局装置１の押しボタンスイッチ７が凸状態にされると、無線基地局装置１に電源が供給されて電源オン状態となる。電源オン時は、押しボタンスイッチ７がカバー４のスライド移動を規制しているため、カード挿入部３を露出させることができず、ＵＳＩＭカード２を取り出すことはできない。
【００２２】
図４において、無線基地局装置１の押しボタンスイッチ７が押されて無線基地局装置１の表面から突出しない位置にくると、無線基地局装置１に電源が供給されず、電源オフ状態となる。電源オフ時は、カバー４を押しボタンスイッチ７の上へスライド移動させることにより、カード挿入部３を露出させてＵＳＩＭカード２を抜き差しすることができる。
【００２３】
上記した実施の形態２によれば、電源オン状態では、表面から突出した位置にある押しボタンスイッチ７がカバー４のスライド移動を規制することにより、カード挿入部３がカバー４で覆われてＵＳＩＭカード２の抜き差しを不可能とし、電源オフ状態では、押しボタンスイッチ７が押されてカバー４がスライド移動可能となり、カード挿入部３を露出させることによりＵＳＩＭカード２の抜き差しを可能とするように構成した。
そのため、無線基地局装置１の電源を切った状態でしたＵＳＩＭカード２を抜き差しできない構造とすることができる。この結果、複数の無線基地局装置に同一の加入者識別情報が登録されるという不正状態を防止することが可能となる。また、ソフトウエア処理によりＵＳＩＭカードを常時監視する必要がないため、ソフトウエアの処理量および消費電力の軽減が可能となる。
【００２４】
実施の形態３．
図５および図６は、この発明の実施の形態３に係る無線基地局装置１の構成を示す斜視図であり、図５は電源オン状態を示し、図６は電源オフ状態を示す。図５および図６において図１および図２と同一または相当の部分については同一の符号を付し説明を省略する。本実施の形態の無線基地局装置１は、電源オン／オフを行うためのインタフェースとなるロッカスイッチ（電源切り替え部）８を備える。ロッカスイッチ８は、一端が上がると連動して他端が下がる構造であり、第一端部８ａが上がり第二端部８ｂが下がると無線基地局装置１に電源を供給し、第一端部８ａが下がり第二端部８ｂが上がると電源供給を停止する。
【００２５】
カード挿入部３はロッカスイッチ８に隣接して設けられ、カバー４はロッカスイッチ８の第一端部８ａの方向にのみスライドさせることができる構造とする。ロッカスイッチ８の第一端部８ａは電源オン時に無線基地局装置１の表面から突出して、カバー４のスライド移動を規制する。そのため、カバー４は、ロッカスイッチ８の第一端部８ａが上がっている状態の場合にはカード挿入部３からロッカスイッチ８の方向へ移動できない。よって、ＵＳＩＭカード２を抜き差しするためには、第一端部８ａを押すという無線基地局装置１の電源オフ動作が必要となる。
【００２６】
なお、図５および図６ではロッカスイッチ８の長手方向を、カバー４のスライド方向に対して直角、かつスライド方向上に第一端部８ａがくるように取り付ける例を示したが、これに限定されるものではなく、例えばロッカスイッチ８の長手方向をスライド方向上に当該スライド方向と水平になるよう取り付けてもよい。
【００２７】
図５において、ロッカスイッチ８の第二端部８ｂが押されて下がり、それに連動して第一端部８ａが無線基地局装置１の表面から突出した状態にされると、無線基地局装置１に電源が供給されて電源オン状態となる。電源オン時は、ロッカスイッチ８の第一端部８ａがカバー４のスライド移動を規制しているため、カード挿入部３を露出させることができず、ＵＳＩＭカード２を取り出すことはできない。
【００２８】
図６において、ロッカスイッチ８の第一端部８ａが押されて無線基地局装置１の表面から突出しない位置にくると、無線基地局装置１に電源が供給されず、電源オフ状態となる。電源オフ時は、カバー４をロッカスイッチ８の第一端部８ａ上にスライド移動させることにより、カード挿入部３を露出させてＵＳＩＭカード２を抜き差しすることができる。
【００２９】
上記した実施の形態３によれば、電源オン状態では、表面から突出した位置に上がったロッカスイッチ８の第一端部８ａがカバー４のスライド移動を規制することにより、カード挿入部３がカバー４で覆われてＵＳＩＭカード２の抜き差しを不可能とし、電源オフ状態では、ロッカスイッチ８の第一端部８ａが表面から突出しない位置に下がってカバー４がスライド移動可能となり、カード挿入部３を露出させることによりＵＳＩＭカード２の抜き差しを可能とするように構成した。
そのため、無線基地局装置１の電源を切った状態でしたＵＳＩＭカード２を抜き差しできない構造とすることができる。この結果、複数の無線基地局装置に同一の加入者識別情報が登録されるという不正状態を防止することが可能となる。また、ソフトウエア処理によりＵＳＩＭカードを常時監視する必要がないため、ソフトウエアの処理量および消費電力の軽減が可能となる。
【００３０】
実施の形態４．
図７および図８は、この発明の実施の形態４に係る無線基地局装置１の構成を示す斜視図であり、図７は電源オン状態を示し、図８は電源オフ状態を示す。図７および図８において図１および図２と同一または相当の部分については同一の符号を付し説明を省略する。本実施の形態の無線基地局装置１は、電源オン／オフを行うためのインタフェースとなるスライドスイッチ９を備える。このスライドスイッチ９はカード挿入部３を覆うカバーとして兼用され、カード挿入部３を覆う位置にあるとき無線基地局装置１へ電源を供給するものとする。また、スライドスイッチ９は、スライド移動してカード挿入部３を露出させる位置にあるとき、無線基地局装置１への電源供給を停止する。
【００３１】
図７において、無線基地局装置１のスライドスイッチ９がカード挿入部３を覆う位置に移動されると、無線基地局装置１に電源が供給されて電源オン状態となる。電源オン時は、スライドスイッチ９がカード挿入部３を覆っているため、カード挿入部３が露出せず、ＵＳＩＭカード２を取り出すことはできない。よって、ＵＳＩＭカード２を抜き差しするためにスライドスイッチ９をスライド移動させると、自動的に電源オフ状態となる。
【００３２】
図８において、無線基地局装置１のスライドスイッチ９がスライド移動されてカード挿入部３が露出する位置にくると、無線基地局装置１に電源が供給されず、電源オフ状態となる。電源オフ時は、カード挿入部３が露出しているのでＵＳＩＭカード２を抜き差しすることができる。
【００３３】
上記した実施の形態４によれば、スライドスイッチ９はカード挿入部３を覆う位置にあるときは無線基地局装置１に電源を供給し、スライド移動してカード挿入部３を露出させる位置にあるときは電源供給を停止するように構成した。
そのため、無線基地局装置１の電源を切った状態でしたＵＳＩＭカード２を抜き差しできない構造とすることができる。この結果、複数の無線基地局装置に同一の加入者識別情報が登録されるという不正状態を防止することが可能となる。また、ソフトウエア処理によりＵＳＩＭカードを常時監視する必要がないため、ソフトウエアの処理量および消費電力の軽減が可能となる。
【００３４】
実施の形態５．
図９および図１０は、この発明の実施の形態５に係る無線基地局装置１の構成を示す斜視図であり、図９は電源オン状態を示し、図１０は電源オフ状態を示す。図９および図１０において図１および図２と同一または相当の部分については同一の符号を付し説明を省略する。本実施の形態の無線基地局装置１は、電源オン／オフを行うためのインタフェースとなる電源スイッチ１０を備える。この電源スイッチ１０は、カード挿入部３の底部に設置され、底部に収容されて底部表面から突出しない位置にあるとき、無線基地局装置１へ電源を供給するものとする。また、電源スイッチ１０は、カード挿入部３の底部表面から突出する位置にあるとき、即ち凸状態のとき、無線基地局装置１への電源供給を停止する。
【００３５】
図９において、無線基地局装置１のカード挿入部３にＵＳＩＭカード２が挿入されると、ＵＳＩＭカード２がカード挿入部３底部に設けられた電源スイッチ１０を押して底部に収容させるので、無線基地局装置１は電源オン状態となる。ＵＳＩＭカード２がカード挿入部３に挿入されている間は、ＵＳＩＭカード２が電源スイッチ１０をカード挿入部３底部表面から突出しない位置に保持するため、電源オン状態が継続する。
【００３６】
図１０において、無線基地局装置１のカード挿入部３からＵＳＩＭカード２が抜かれると、ＵＳＩＭカード２による電源スイッチ１０の保持が解除されるので、電源スイッチ１０が凸状態となり、無線基地局装置１は電源オフ状態となる。よって、ＵＳＩＭカード２がカード挿入部３から抜き出されれば、電源スイッチ１０が凸状態となるため、自動的に電源オフ状態となる。
【００３７】
上記した実施の形態５によれば、カード挿入部３に挿入されたＵＳＩＭカード２が、カード挿入部３底部に設けられた電源スイッチ１０を押すことにより無線基地局装置１に電源が供給され、ＵＳＩＭカード２がカード挿入部３から抜かれると電源スイッチ１０が電源供給停止位置に戻り凸状態となるように構成した。
そのため、無線基地局装置１の電源を切った状態でしたＵＳＩＭカード２を抜き差しできない構造とすることができる。この結果、複数の無線基地局装置に同一の加入者識別情報が登録されるという不正状態を防止することが可能となる。また、ソフトウエア処理によりＵＳＩＭカードを常時監視する必要がないため、ソフトウエアの処理量および消費電力の軽減が可能となる。
【００３８】
以上のように、この発明に係る無線基地局装置は、電源切り替え部が電源オン状態のカバーのスライド移動を規制して、電源オフ状態時のみＵＳＩＭカードを抜き差し可能にしたので、移動体通信方式においてＵＳＩＭカードを搭載する無線通信基地局装置等に用いるのに適している。
【手続補正２】
【補正対象書類名】特許請求の範囲
【補正対象項目名】全文
【補正方法】変更
【補正の内容】
【特許請求の範囲】
【請求項１】
加入者識別情報が記憶されたデータカードと、前記データカードが挿入されるカード挿入部とを有し、前記データカードから読み出した加入者識別情報を用いて無線通信を行う無線基地局装置であって、
スライド移動可能に取り付けられ、前記カード挿入部を覆うカバーと、
前記カバーのスライド移動方向上に設けられ、表面から突出した位置にあるときは前記無線基地局装置に電源を供給し、表面から突出しない位置にあるときは電源供給を停止する電源切り替え部とを備え、
電源オン状態では、表面から突出した位置にある前記電源切り替え部が前記カバーのスライド移動を規制することにより、前記データカードの抜き差しを不可能とし、
前記電源切り替え部は、前記カバーのスライド移動方向上に設けられたアダプタ接続部と、前記アダプタ接続部と接続して電源を供給する電源アダプタとから構成されることを特徴とする無線基地局装置。
【手続補正書】
【提出日】平成22年12月28日(2010.12.28)
【手続補正１】
【補正対象書類名】明細書
【補正対象項目名】０００７
【補正方法】変更
【補正の内容】
【０００７】
この発明の無線基地局装置は、加入者識別情報が記憶されたデータカードと、データカードが挿入されるカード挿入部と、スライド移動可能に取り付けられ、カード挿入部を覆うカバーと、カバーのスライド移動方向上に設けられ、表面から突出した位置にあるときは無線基地局装置に電源を供給し、表面から突出しない位置にあるときは電源供給を停止する電源切り替え部とを備え、電源オン状態では、表面から突出した位置にある電源切り替え部がカバーのスライド移動を規制することにより、データカードの抜き差しを不可能とし、電源切り替え部は、カバーのスライド移動方向上に設けられたアダプタ接続部と、アダプタ接続部と接続して電源を供給する電源アダプタとから構成され、電源アダプタをアダプタ接続部に接続している場合、電源切り替え部は表面から突出する位置にあり、無線基地局装置に電源を供給され、電源アダプタをアダプタ接続部に接続していない場合、電源切り替え部は表面から突出しない位置にあり、電源供給を停止されるものである。
【手続補正２】
【補正対象書類名】特許請求の範囲
【補正対象項目名】全文
【補正方法】変更
【補正の内容】
【特許請求の範囲】
【請求項１】
加入者識別情報が記憶されたデータカードと、前記データカードが挿入されるカード挿入部とを有し、前記データカードから読み出した加入者識別情報を用いて無線通信を行う無線基地局装置であって、
スライド移動可能に取り付けられ、前記カード挿入部を覆うカバーと、
前記カバーのスライド移動方向上に設けられ、表面から突出した位置にあるときは前記無線基地局装置に電源を供給し、表面から突出しない位置にあるときは電源供給を停止する電源切り替え部とを備え、
電源オン状態では、表面から突出した位置にある前記電源切り替え部が前記カバーのスライド移動を規制することにより、前記データカードの抜き差しを不可能とし、
前記電源切り替え部は、前記カバーのスライド移動方向上に設けられたアダプタ接続部と、前記アダプタ接続部と接続して電源を供給する電源アダプタとから構成され、
前記電源アダプタを前記アダプタ接続部に接続している場合、前記電源切り替え部は表面から突出する位置にあり、前記無線基地局装置に電源を供給され、前記電源アダプタを前記アダプタ接続部に接続していない場合、前記電源切り替え部は表面から突出しない位置にあり、電源供給を停止されることを特徴とする無線基地局装置。
【国際調査報告】
2010061423.tif 000013
2010061423.tif 000014
2010061423.tif 000015